(57)【要約】    【課題】  薬袋に残存する記載内容から個人情報が流出することを防止ために、薬袋に残存する記載内容の一部又は全部を容易に分離可能とする。    【解決手段】  袋体２に第１表示部３と第２表示部４とを設けた構成とする。第１表示部は、袋体２から分離し、他所に取り付けて使用する。第２表示部４は、患者の氏名を含む患者情報が記載された患者情報部１２と、患者に処方される薬剤名を含む処方情報が記載された処方情報部１３とで構成する。第２表示部４は、袋体２から、少なくとも患者情報部１３又は処方情報部１４のうち、少なくともいずれか一方を分離可能とする。【選択図】  図１
2007061138.tif 000002
【特許請求の範囲】
【請求項１】
袋体に第１表示部と第２表示部とを設けた薬袋であって、
前記第１表示部は、前記袋体から分離し、他所に取り付けて使用され、
前記第２表示部は、患者の氏名を含む患者情報が記載された患者情報部と、前記患者に処方される薬剤名を含む処方情報が記載された処方情報部とを備え、前記患者情報部又は前記処方情報部のうち、少なくともいずれか一方は、前記袋体から分離可能であることを特徴とする薬袋。
【請求項２】
袋体に第１表示部と第２表示部とを設けた薬袋であって、
前記第１表示部及び前記第２表示部は、患者の氏名を含む患者情報が記載された患者情報部と、前記患者に処方される薬剤名を含む処方情報が記載された処方情報部とからなり、ある患者の処方データに基づいて記載内容を作成され、
前記第１表示部は前記袋体から剥離可能で、前記袋体から取り出した各薬剤に貼着して使用され、
前記第２表示部は、前記患者情報部及び前記処方情報部を、他の患者の処方データに基づいて書換可能であることを特徴とする薬袋。
【請求項３】
所定目的を達成するために規定された運用基準に従って逐次剥がされるラベルと前記目的が達成された場合であっても剥がされずに残るラベルとが剥離可能に貼り付けられた薬袋であって、
前記剥がされずに残るラベルは物理的に分離した２つのラベルであり、
一方のラベルは患者名の表示を含み、他方のラベルは該患者に投与される薬剤の表示を含むことを特徴とするラベル付き薬袋。
【請求項４】
所定目的を達成するために規定された運用基準に従って逐次剥がされるラベルと前記目的が達成された場合であっても剥がされずに残るラベルとが剥離可能に貼り付けられた薬袋であって、
前記剥がされずに残るラベルは、分離を容易にするための境界線を介してつながった２つのラベルであり、
一方のラベルは患者名の表示を含み、他方のラベルは該患者に投与される薬剤の表示を含むことを特徴とするラベル付き薬袋。
【請求項５】
所定目的を達成するために規定された運用基準に従って逐次剥がされるラベルと前記目的が達成された場合であっても剥がされずに残るラベルとが剥離可能に貼り付けられた薬袋であって、
前記剥がされずに残るラベルは、その一部領域が分離を容易にするための境界線を介してつながった紙片を持つ少なくとも一つのラベルであり、
前記紙片又は前記剥がされずに残るラベルのうち、いずれか一方は患者名の表示を含み、残る他方は該患者に投与される薬剤の表示を含むことを特徴とするラベル付き薬袋。
【発明の詳細な説明】
【技術分野】
【０００１】
本発明は、医療機関等で薬剤を収容するために使用する薬袋、特に、その表面に設けるラベルに特徴を有する薬袋に関するものである。
【背景技術】
【０００２】
従来、患者ラベルと医薬ラベルを貼着した薬袋が公知である（例えば、特許文献１参照）。この薬袋では、収容した薬剤を取り出す際、医薬ラベルを剥がし、アンプル等の薬剤に貼着することにより、薬袋に残された剥がし跡で、患者に薬剤を施用したことを確認できるようにしている。
【０００３】
また、患者名記入部及び薬剤情報記入部と、同様な記入部を設けた剥離可能なラベルとを備えた薬袋が公知である（例えば、特許文献２参照）。
【０００４】
【特許文献１】特開２００４−１７３８１０号公報
【特許文献２】特開２００２−２８４１８０号公報
【発明の開示】
【発明が解決しようとする課題】
【０００５】
しかしながら、前記いずれの薬袋であっても、患者名と処方情報（薬剤名・用量・用法）が同一面に表示され、患者名と処方情報が関連付けられた状態となっている。このため、個人情報保護の観点からは、両者を分離した上で廃棄する必要があるが、実際の医療の現場では、日々大量の薬袋が発生しており、両者を分離する作業は大変である。
【０００６】
そこで、本発明は、患者名と処方情報とを容易に分離することのできる薬袋を提供することを課題とする。
【課題を解決するための手段】
【０００７】
本発明は、前記課題を解決するための手段として、袋体に第１表示部と第２表示部とを設けた薬袋であって、前記第１表示部は、前記袋体から分離し、他所に取り付けて使用され、前記第２表示部は、患者の氏名を含む患者情報が記載された患者情報部と、前記患者に処方される薬剤名を含む処方情報が記載された処方情報部とを備え、前記患者情報部又は前記処方情報部のうち、少なくともいずれか一方は、前記袋体から分離可能としたものである。
【０００８】
この構成により、袋体に収容した薬剤を患者に施用する際、袋体から第１表示部を分離させ、取り出した各薬剤を含む他所に貼着することにより、施用ミス等を防止することができる。そして、袋体内の全ての薬剤の取出後は、患者情報部又は処方情報部のうち、少なくともいずれか一方を分離可能に構成されているので、患者情報部と処方情報部とを比較的容易に分離することが可能となる。
【０００９】
前記第１表示部は前記袋体から剥離により分離可能であり、前記第２表示部は、少なくとも患者情報部を剥離により分離可能とすればよい。
【００１０】
前記第２表示部の処方情報部は、第三者に識別不能な、前記患者を特定するための患者特定部を、さらに備えるのが好ましい。
【００１１】
この構成により、袋体から患者情報部を剥離した後であっても、患者特定部により患者を特定し、その患者に処方された薬剤が全て施用されたか否かを確認することができる。しかも、患者特定部は第三者には識別不能であるので、個人情報が漏洩することもない。
【００１２】
前記第２表示部の患者情報部は、前記袋体からはみ出す把持部を備えるのが好ましい。
【００１３】
この構成により、患者情報部の除去が促され、袋体をそのまま破棄することを防止できる。また、把持部を掴んで袋体から簡単に患者情報部を除去することが可能である。
【００１４】
少なくとも前記第２表示部の患者情報部で袋体の開口部を閉鎖し、前記患者情報部を剥離することなく、収容した薬剤を取り出すことができないようにするのが好ましい。
【００１５】
この構成により、患者情報部の除去忘れを確実に防止することが可能となる。
【００１６】
前記袋体の開口部近傍に貼着穴を形成し、前記第２表示部の患者情報部を袋体の外面に貼着して貼着穴を塞ぎ、該貼着穴を介して袋体の内面にも貼着することにより、袋体の開口部を閉鎖すればよい。
【００１７】
この構成により、袋体に貼着穴を形成するだけの簡単な構成で、患者情報部の除去忘れを確実に防止することが可能となる。
【００１８】
少なくとも前記第２表示部の患者情報部で袋体の開口部を閉鎖し、開放する際、前記患者情報部を剥離させると、該患者情報部の記載内容が判別不能としてもよい。
【００１９】
前記袋体は、薬剤を収容した状態で開口部を閉鎖され、前記薬剤を取り出す際に切り離される切除部を備え、該切除部によって切り離された切除部分には、前記第２表示部のうち、少なくとも前記患者情報部を含むように構成することもできる。
【００２０】
また、本発明は、前記課題を解決するための手段として、袋体に第１表示部と第２表示部とを設けた薬袋であって、前記第１表示部及び前記第２表示部は、患者の氏名を含む患者情報が記載された患者情報部と、前記患者に処方される薬剤名を含む処方情報が記載された処方情報部とからなり、ある患者の処方データに基づいて記載内容を作成され、前記第１表示部は前記袋体から剥離可能で、前記袋体から取り出した各薬剤に貼着して使用され、前記第２表示部は、前記患者情報部及び前記処方情報部を、他の患者の処方データに基づいて書換可能としたものである。
【００２１】
この構成により、第２表示部の記載内容を書き換えて再利用することが可能となる。第２表示部には、リライトカードが使用可能である。リライトカードとしては、ロイコ染料等、熱エネルギーに感応して可逆的に状態変化する可逆性感熱材料からなる感熱層を備えたものが使用できる。なお、第１表示部には、次の患者の処方データに基づいて新たに作成したラベルを貼着し直すようにすればよい。
【００２２】
また、本発明は、前記課題を解決するための手段として、袋体に第１表示部と第２表示部とを設けた薬袋であって、前記第１表示部及び前記第２表示部は、患者の氏名を含む患者情報が記載された患者情報部と、前記患者に処方される薬剤名を含む処方情報が記載された処方情報部とからなり、前記第１表示部は前記袋体から剥離可能で、前記袋体から取り出した各薬剤に貼着して使用され、前記第２表示部は、記載内容除去手段により、少なくとも前記患者情報部を消去可能としたものである。
【００２３】
前記記載内容除去手段としては、例えば、ヒータ等の加熱手段を採用することができる。加熱手段により、第２表示部を加熱して記載内容が判別できないように変形させたり、記載内容を特殊なインク（「色素」と「発色剤」のほかに「消去剤」を添加したもの）で形成し、熱により消えるようにしたりすればよい。
【００２４】
前記構成により、袋体に収容した薬剤の施用後、袋体を破棄する際、記載内容除去手段により簡単な処理を行うだけで、患者情報部を消去することが可能となる。
【００２５】
また、本発明は、前記課題を解決するための手段として、次のように特定できる（図７参照）。
【００２６】
所定目的（例えば患者に対する過誤なき注射の施用完了）を達成するために規定された運用基準（例えば所定目的のために規定された病院内の注射運用マニュアル）に従って逐次剥がされるラベルと前記目的が達成された場合であっても剥がされずに残るラベルとが剥離可能に貼り付けられた薬袋であって、前記剥がされずに残るラベルは物理的に分離した２つのラベルであり、一方のラベルは患者名の表示を含み、他方のラベルは該患者に投与される薬剤の表示を含むことを特徴とするラベル付き薬袋。
【００２７】
このようにすれば、廃棄されるべきラベル（剥がされずに残るラベル）付き薬袋には、物理的に分離した２つのラベル（一方には患者名の表示を含み、他方には該患者に投与される薬剤の表示を含む）が剥離可能に貼り付けられているから、いずれか一方のラベルを容易に剥がすことができる。従って、患者情報部と処方情報部とを比較的容易に分離することが可能となる。
【００２８】
また、本発明は、次のように特定することもできる（図１参照）。
【００２９】
所定目的（例えば患者に対する過誤なき注射の施用完了）を達成するために規定された運用基準（例えば所定目的のために規定された病院内の注射運用マニュアル）に従って逐次剥がされるラベルと前記目的が達成された場合であっても剥がされずに残るラベルとが剥離可能に貼り付けられた薬袋であって、前記剥がされずに残るラベルは、分離を容易にするための境界線（例えばミシン目）を介してつながった２つのラベルであり、一方のラベルは患者名の表示を含み、他方のラベルは該患者に投与される薬剤の表示を含むことを特徴とするラベル付き薬袋。
【００３０】
このようにすれば、廃棄されるべきラベル（剥がされずに残るラベル）付き薬袋には、分離を容易にするための境界線（例えばミシン目）を介してつながった２つのラベル（一方は患者名の表示を含み、他方は該患者に投与される薬剤の表示を含む）が剥離可能に貼り付けられているから、いずれか一方のラベルを容易に剥がすことができる。従って、患者情報部と処方情報部とを比較的容易に分離することが可能となる。
【００３１】
また、本発明は次のように特定することもできる（図９参照）。
【００３２】
所定目的（例えば患者に対する過誤なき注射の施用完了）を達成するために規定された運用基準（例えば所定目的のために規定された病院内の注射運用マニュアル）に従って逐次剥がされるラベルと前記目的が達成された場合であっても剥がされずに残るラベルとが貼り付けられた薬袋であって、前記剥がされずに残るラベルは、その一部領域がミシン目等の分離を容易にするための境界線（例えばミシン目）を介してつながった紙片を持つ少なくとも一つのラベルであり、前記紙片又は前記ラベルのうち、いずれか一方は患者名の表示を含み、残る他方は該患者に投与される薬剤の表示を含むことを特徴とするラベル付き薬袋。
【００３３】
このようにすれば、廃棄されるべきラベル（剥がされずに残るラベル）付き薬袋には、分離を容易にするための境界線を介してつながった紙片を持つラベル（例えば紙片は患者名の表示を含み、ラベルは該患者に投与される薬剤の表示を含む）が剥離可能に貼り付けられているから、比較的小領域の紙片を容易に剥がすことができる。従って、患者情報部と処方情報部とを比較的容易に分離することが可能となる。
【発明の効果】
【００３４】
本発明によれば、薬袋を破棄する際、患者情報部又は処方情報部のうち、少なくともいずれか一方を分離することができるようにしているので、患者の個人情報の流出を容易に防止することが可能となる。
【発明を実施するための最良の形態】
【００３５】
以下、本発明に係る実施形態を添付図面に従って説明する。
【００３６】
＜第１実施形態＞
図１は、第１実施形態に係る薬袋１を示す。この薬袋１は、袋体２の表面に第１表示部３及び第２表示部４を設けた構成である。
【００３７】
袋体２は、ポリエチレン等の透光性を有する材料で形成され、表面部５と裏面部６とからなる平面視矩形のシート状で、４辺のうち３辺を貼り合わせることにより１辺のみが開口する。シート状であるので、表面部５又は裏面部６に第１表示部３及び第２表示部４となるラベルを容易に貼着することが可能である。袋体２には、患者単位で処方された薬剤７が収容される。収容する薬剤７は、例えば、輸液ボトル、輸液パック、アンプル、ＰＴＰ（Press Through Pack）等の容器等に収容した形態のものが対象となる。図１では、１枚の袋体２につき、１本の輸液ボトルのみが収容されている。
【００３８】
第１表示部３は、第１患者情報部８と第１処方情報部９、あるいは、第１患者情報部８のみを備えたラベル（１枚又は複数枚）で構成されている。ラベルは、施用段階で順次貼着した袋体２から剥がして薬剤７やトレイ等、必要箇所に貼着できるようになっている。第１患者情報部８には、患者の氏名、患者ＩＤ等が記載されている。第１処方情報部９には、患者に処方される薬剤の名称、処方量等が記載されている。第１表示部３は、処方データに基づいて提供される１単位の薬剤毎に複数形成される（例えば、輸液ボトルであれば、収容される薬剤７が複数であってもラベルは１つ）。
【００３９】
図１の例では、第１表示部３は、輸液ラベル１０、４枚のシリンジラベル１１、及び、患者名ラベル１２で構成されている。輸液ラベル１０には、患者の氏名からなる第１患者情報部８と、処方された輸液の成分（薬剤名：マスキュラックス（筋弛緩剤）、セイショク（生理食塩水））、処方量（１０ｍｇ、２０ｍｌ）、処方単位（２Ｖ、１Ａ）からなる第１処方情報部９のほか、発行年月日（２００５／８／２）が記載されている。シリンジラベル１１には、患者名、バーコード、処方内容等が印刷されている。但し、シリンジラベル１１は予備的なもので、必要に応じて別途用意したシリンジ（注射器）に貼着して使用する。また、シリンジラベル１１は使用するもののみに氏名等を印刷しておいてもよい。この場合、施用後は印刷されていない白紙のシリンジラベル１１のみが残されることになるので、薬袋１を破棄する際、シリンジラベル１１を剥離する手間が省ける。患者名ラベル１２には、患者名、患者ＩＤ等が記載されている（但し、患者名だけでもよい。）。患者名ラベル１２は薬袋１や薬剤７を搬送するための容器（例えば、トレイ）に貼着して使用する。
【００４０】
なお、図１の例では、薬袋１に薬剤７として輸液ボトル１本のみを収容する例を示したが、複数の薬剤７を収容することも可能である。例えば、Ａ薬剤（アンプル２本）、Ｂ薬剤（ＰＴＰ剤）を収容する場合、薬袋１には、Ａ薬剤について２枚、Ｂ薬剤について１枚、合計３枚のラベルを、それぞれ別個に剥がすことができるように形成すればよい。
【００４１】
第２表示部４は、第２患者情報部１３と第２処方情報部１４とで構成されている。第２患者情報部１３には、患者の氏名、ＩＤ番号等が記載されている。第２処方情報部１４には、ある患者に処方される全ての薬剤名、コード番号等が記載されている。第１表示部３が施用により順次剥離されるのに対し、第２表示部４は施用終了時点で剥離されずに残される。これは、施用途中で第２表示部４を注射箋代わりに利用することもあると考えられるからである。但し、第２患者情報部１３又は第２処方情報部１４のうち、少なくともいずれか一方は剥がすことができるように構成されている。そして、薬袋１を破棄する際、第２患者情報部１３又は第２処方情報部１４のうち、少なくともいずれか一方を剥がしさえすれば、個人情報の漏洩を容易に防止可能である。図１の例では第２表示部４の全体が剥離可能な注射箋ラベルで構成されている。但し、２点鎖線で示すように、ミシン目等を入れて第２患者情報部１３のみを剥離できるようにしてもよいし、第２処方情報部１４のみを剥離できるようにしてもよい。
【００４２】
なお、図１の例では、第２表示部４の第２患者情報部１３と、第２処方情報部１４とは同一の注射箋ラベルで構成したが、図７に示すように、別個独立したラベル（患者ラベル１３ａ及び処方ラベル１４ａ）で構成してもよい。また、１枚のラベル（第２表示部４）から第２処方情報部１４のみを剥離できるようにミシン目等を入れるようにしたが、他の構成とすることも可能である。例えば、図８に示すように、処方情報が印刷されたラベル（処方ラベル１４ｂ）の表面に、剥離可能に患者情報が印刷されたラベル（患者ラベル１３ｂ）をさらに貼り付けるようにしてもよい。また、図９に示すように、さらに患者ラベル１３ｃを処方ラベル１４ｃに部分的に貼り付け、ミシン目等で患者情報が印刷された部分を切り離すことができるようにしてもよい。また、図１０に示すように、袋体２に名前ホルダー２ａを形成し、この名前ホルダー２ａに患者ラベル１３ｄを取出可能に保持するようにしてもよい。
【００４３】
また、第１表示部３及び第２表示部４は、薬袋１の下部を除く位置に設けられている。前述のように、薬袋１は透光性を有する材料から形成されているため、表示部３又は４が設けられていない下部（透光部１５）を見れば、収容した薬剤７を容易に判別することが可能である。したがって、薬袋１に薬剤７を収容し終わった状態で、開口部を閉鎖したとしても、処方情報部の記載内容を見ながら収容した薬剤７を確認することが可能である。但し、薬袋１は、透光性を有する材料に限らず、紙等の別材料で構成することも可能である。要するに、薬袋１を廃棄する際、患者情報又は処方情報のうち、少なくともいずれか一方を薬袋１から分離可能となっていれば、薬袋１の材質は問題としない。
【００４４】
また、第２表示部４は、図２に示すように、袋体２に貼着することにより、袋体２の外縁部からはみ出す把持部４ａを備えるのが好ましい。これにより、薬袋１を破棄する際、把持部４ａにより、第２患者情報部１３が貼着されたままとなっていることを容易に識別することができ、第２患者情報部１３の剥がし忘れを防止することが可能となる上、剥がし易い。また、第２患者情報部１３を第２処方情報部１４とは分離して剥離可能とした場合、把持部４ａは第２患者情報部１３のみに形成すればよい。
【００４５】
前記構成からなる薬袋１は図３に示す薬袋形成装置１６により形成し、薬剤袋詰装置２３により該当する薬剤７が袋詰される。
【００４６】
薬袋形成装置１６は、透光性材料からなる帯状のシート１８を巻回したロール１７と、このロール１７から巻き戻されたシート１８を、４辺のうち３辺を貼着し１辺を開口させた袋状とするシール部１９と、ラベルを前記シート１８に貼着するラベル貼着部２０と、貼着したラベルに、処方データに基づいて該当する内容（前述の第１表示部３及び第２表示部４への記載内容）を印刷する印刷部２１と、シート１８を切り離して薬袋１を形成するカッター２２とを備える。
【００４７】
前記ロール１７に巻回するシート１８は、１枚の帯状でもよいし、筒状でもよい。また、ロール１７を２つ備えてそれぞれから供給されるシート１８を貼り合わせるようにしても構わない。前記印刷部２１は、処方データに基づいて、患者情報及び処方情報を読み込んで該当するラベルの該当箇所に印刷するものであればよく、インクジェットプリンタ、リボンプリンタ、レーザープリンタ等が使用できる。但し、処方データは、サーバから自動的に読み込んだり、端末で手入力したりすればよい。ラベルは、図１に示す形態に限らず、種々の形態のものを用意しておくこともでき、処方データの内容に応じて適宜選択できるように構成することも可能である。
【００４８】
薬剤袋詰装置２３は、薬剤供給装置２４から搬送される薬剤７を薬袋１に収容できるように薬袋１の開口部を開口させる開放部２５と、薬剤７が収容された薬袋１の開口部を閉鎖する閉鎖部２６とを備える。但し、薬袋袋詰装置は必ずしも必要なものではなく、人手により薬袋１に薬剤７を収容するようにしても構わない。
【００４９】
次に、前記構成からなる薬袋１の使用方法について説明する。
【００５０】
前記薬袋１は、主に医療機関で入院患者に薬剤７を届けるために使用される。薬袋１には薬剤７（ここでは輸液ボトル）が収容された状態で、看護師等によって病室へと搬送される。そして、薬袋１から輸液ボトルを取り出し、薬袋１に貼着した輸液ラベル１０を剥がし、これを輸液ボトルに貼着する。これにより、薬袋１から取り出した輸液ボトルがどの患者への点滴用のものであるのかを特定することができ、誤って異なる患者に点滴されてしまうことを未然に防止することができる。なお、輸液ボトルから直接患者に点滴するのではなく、注射器を使用して行うものであれば、シリンジラベル１１を剥がして該当する注射器に貼り付けておけばよい。
【００５１】
このようにして薬袋１から輸液ボトルを取り出して輸液ラベル１０を貼着し終われば、残された薬袋１を回収する。このとき、第２表示部４の第２患者情報部１３と、剥がされたラベル跡あるいは残されたラベルとから収容していた薬剤７が適切に払い出されたのか否かの確認ができる。そして、回収された薬袋１から第２患者情報部１３及び残されたシリンジラベル１１を剥がし、破棄する。これにより、破棄した薬袋１に残されたラベルから読み取れるのは、処方した薬剤に関する情報のみであり、個人情報が漏洩することがない。
【００５２】
＜第２実施形態＞
図４は、第２実施形態に係る薬袋１を示す。この薬袋１では、前記第１実施形態とは袋体２の構成が相違する。すなわち、袋体２は、表面部５に開口部近傍に位置する複数の貼着穴２７を形成されている。そして、表面部５には、貼着穴２７を覆うように患者ラベル２８が貼着されている。したがって、薬袋１に薬剤７を収容した後、前記患者ラベル２８を貼着すれば、貼着穴２７を介して裏面部６の内面にも貼着され、開口部が閉鎖された状態となる。そして、患者ラベル２８を剥がさなければ、薬剤７を取り出すことが不可能となる。なお、他のラベル、すなわち第２表示部４を構成する処方ラベル１３は袋体２に貼着したままでよい。
【００５３】
この場合、第２処方情報部１４（処方ラベル）には、バーコード等により第三者が患者を特定できないような患者特定部を備えるのが好ましい。これにより、患者ラベル２８を剥がした後であっても、患者特定部から患者名等を確認できるので、第１表示部３を構成する各ラベルが全て使用され、患者ラベル２８が剥がされた薬袋１であっても、処方ラベル１３から患者を特定することが可能となる。つまり、薬袋１に収容していた薬剤７が全て患者に施用されたか否かの確認に利用することができる。
【００５４】
前記構成の薬袋１によれば、患者に薬剤７を提供する際、必ず患者ラベル２８を剥がさなければ、薬袋１から薬剤７を取り出すことができない。したがって、薬袋１に患者情報のみが記載された患者ラベル２８が残されることがない。また、輸液ラベル１０は取り出した輸液ボトルに貼着して使用するので、薬袋１に残存することがない。このため、使用済みの薬袋１をそのまま破棄しても、患者の個人情報が漏洩することはあり得ない。
【００５５】
なお、前記患者ラベル２８は剥がして袋体２から完全に分離させる構成としたが、図５に示すように、患者名等の患者情報が記載された部分のみを剥がすことにより、患者ラベル２８に記載した患者情報が認識不能となるように構成することも可能である。すなわち、患者ラベル２８を剥がすことにより、記載された文字を構成する印刷部分がランダムに抜け落ちた状態とし、残された印刷部分からだけでは判別不能とするものである。
【００５６】
＜第３実施形態＞
図６は、第３実施形態に係る薬袋１を示す。この薬袋１では、薬袋１が切断容易な紙製であって、開口部が薬剤７の収容後に閉鎖され、薬剤７を取り出す際、開口部近傍に形成したミシン目等の切除部２９で切除する。そして、前記切除部分に患者ラベル２８を貼着しておく。
【００５７】
これによれば、薬袋１の一部を切除しなければ、収容した薬剤７を取り出すことができない。そして、切除部分に患者ラベル２８が貼着されているので、薬袋１に患者情報が残存したままとなることがあり得ない。したがって、薬袋１を破棄しても、患者の個人情報が漏洩することがない。
【００５８】
なお、前記薬袋１の開口部は患者ラベル２８を貼着することにより閉鎖するように構成することも可能である。また、切除部２９は薬袋１の開口部近傍ではなく、側方や下方あるいは角部であってもよく、要は切除部２９で切除することにより、収容した薬剤７を取り出すことができ、切除した部分に患者ラベル２８が貼着されていればよい。
【００５９】
＜第４実施形態＞
なお、薬袋１に設ける患者ラベル２８はリライトカードで構成してもよい。リライトカードとしては、ロイコ染料等、熱エネルギーに感応して可逆的に状態変化する可逆性感熱材料からなる感熱層を備えたものが使用できる。
【００６０】
この構成によれば、収容した輸液ボトルを取り出し、剥がした輸液ラベル１０を貼着することにより使用済みとなった薬袋１を回収し、リライトカードの記載内容を書き換えることができる。つまり、薬袋１を破棄することなく再利用するので、外部に情報が漏洩することがない。
【００６１】
また、前記患者ラベル２８には、特殊なインク（「色素」と「発色剤」のほかに「消去剤」を添加したもの）で患者情報を記載するようにしてもよい。前記インクはヒータ等で加熱することにより消失し、記載内容が判別不能となればよい。
【図面の簡単な説明】
【００６２】
【図１】第１実施形態に係る薬袋の正面図である。
【図２】図１の患者ラベルの変形例を示す薬袋の正面図である。
【図３】図１に示す薬袋を形成し、形成された薬袋に薬剤を収容するための工程を示す概略説明図である。
【図４】第２実施形態に係る薬袋の斜視図である。
【図５】図４の変形例を示す薬袋の斜視図である。
【図６】第３実施形態に係る薬袋の正面図である。
【図７】第２表示部の他の例を示す薬袋の斜視図である。
【図８】第２表示部の他の例を示す薬袋の斜視図である。
【図９】第２表示部の他の例を示す薬袋の斜視図である。
【図１０】第２表示部の他の例を示す薬袋の斜視図である。
【符号の説明】
【００６３】
１…薬袋
２…袋体
３…第１表示部
４…第２表示部
５…表面部
６…裏面部
７…薬剤
８…第１患者情報部
９…第１処方情報部
１０…輸液ラベル
１１…シリンジラベル
１２…患者名ラベル
１３…第２患者情報部
１４…第２処方情報部
１５…透光部
１６…薬袋形成装置
１７…ロール
１８…シート
１９…シール部
２０…ラベル貼着部
２１…印刷部
２２…カッター
２３…薬剤袋詰装置
２４…薬剤供給装置
２５…開放部
２６…閉鎖部
２７…貼着穴
２８…患者ラベル
２９…切除部
【図１】
2007061138.tif 000003
【図２】
2007061138.tif 000004
【図３】
2007061138.tif 000005
【図４】
2007061138.tif 000006
【図５】
2007061138.tif 000007
【図６】
2007061138.tif 000008
【図７】
2007061138.tif 000009
【図８】
2007061138.tif 000010
【図９】
2007061138.tif 000011
【図１０】
2007061138.tif 000012